(57)【特許請求の範囲】
【請求項１】
キーボードを有する本体部と、
表示画面を有し第１の支持軸を介して回動することにより本体部に対して開閉されると共に第１の支持軸と直交する第２の支持軸を介して本体部に対して回転される表示部と、
前記本体部の前記キーボード側と前記表示部の前記表示画面側とが対向した状態での閉塞、及び前記本体部の前記キーボード側と前記表示部の前記表示画面を有さない側とが対向した状態での閉塞をするロック手段と、
撮像手段と、
前記キーボードの所定の操作キーと同じ機能を有し、前記キーボードが前記表示画面側と対向した状態で閉塞された場合に操作可能な第１の入力手段と、
撮影モード時に前記第１の入力手段が操作された場合に、当該撮影モードに関するメニュー画面を前記表示画面上に表示する表示制御手段とを備えた
ことを特徴とする情報処理装置。
【請求項２】
前記表示制御手段は、前記メニュー画面上に、前記撮像手段により撮影された画像を電子メールプログラムにより送信するかを選択させるためのメニューを表示する
ことを特徴とする請求項１に記載の情報処理装置。
【請求項３】
前記表示制御手段は、前記メニュー画面上に、前記撮像手段により撮影された画像を内部ハードディスクに保存させるか外部サーバに保存させるかを選択させるためのメニューを表示する
ことを特徴とする請求項１に記載の情報処理装置。
【請求項４】
スクロール操作と決定操作とを入力可能な第２の入力手段を前記表示部の表示画面の周縁の枠部に更に備え、
前記メニュー画面上のメニューは、前記第２の入力手段での前記スクロール操作によりスクロールされ、前記決定操作により決定される
ことを特徴とする請求項１に記載の情報処理装置。
【発明の詳細な説明】
【０００１】
【発明の属する技術分野】
本発明は情報処理装置に関する。詳しくは、キーボードを有するコンピュータ本体と表示画面を有する表示部とを備えた情報処理装置についての技術分野に関する。
【０００２】
【従来の技術】
複数の操作キーが配置されたキーボードを有するコンピュータ本体に対して表示部が開閉自在に支持された情報処理装置がある。
【０００３】
このような情報処理装置の従来のものの一例を図３０に示す。
【０００４】
情報処理装置ａは上面に所定の複数の操作キーが配置されたキーボードｂを有するコンピュータ本体ｃと、該コンピュータ本体ｃの後端部に回動自在に支持された表示部ｄとから成る。表示部ｄは表示画面ｅを有しており、その周縁部が表示画面ｅを保持する枠部ｆとして設けられている。そして、表示部ｄは、回動されることによりキーボードｂを開閉可能とされている。
【０００５】
表示部ｄの枠部ｆにはカメラ部ｇが設けられている。即ち、枠部ｆは、その一部が切り取られるように形成され、当該部分に横長のカメラ部ｇが挿入されるようにして設けられている。そして、カメラ部ｇは、枠部ｆに矢印Ｒ方向へ回動自在に支持されている。
【０００６】
使用者は、情報処理装置ａをコンピュータとして使用し、操作キーに対する操作によって情報の入力等を行うことができ、また、情報処理装置ａをビデオカメラとして使用し、カメラ部を用いて静止画や動画を撮影したりコンピュータ本体ｃに内蔵されている所定の記録媒体等に撮影した画像を取り込んで記録することができる。
【０００７】
【発明が解決しようとする課題】
ところが、上記した従来の情報処理装置ａにあっては、表示部ｄの枠部ｆの一部にカメラ部ｇが設けられているため、カメラ部ｇを用いて表示画面ｅを見ながら撮影を行う場合には、キーボードｂを開放した状態で行わなければならず、使用者が開放されているキーボードｂの操作キーを誤って操作してしまい誤動作を招くおそれがあった。
【０００８】
また、カメラ部ｇが枠部ｆの一部という限られた配置スペースに設けられているため、大型で高画質のカメラ部を搭載することができず、また、カメラ部ｇの機能も限らてしまうという不都合があった。
【０００９】
そこで、本発明情報処理装置は、上記した問題点を克服し、カメラ部の性能の向上を図ると共にカメラ部の使用に際して誤動作を防止することを課題とする。
【００１０】
【課題を解決するための手段】
本発明情報処理装置は、上記した課題を解決するために、キーボードを有する本体部と、表示画面を有し第１の支持軸を介して回動することにより本体部に対して開閉されると共に第１の支持軸と直交する第２の支持軸を介して本体部に対して回転される表示部と、本体部のキーボード側と表示部の表示画面側とが対向した状態での閉塞、及び本体部のキーボード側と表示部の表示画面を有さない側とが対向した状態での閉塞をするロック手段と、撮像手段と、キーボードの所定の操作キーと同じ機能を有し、キーボードが表示画面側と対向した状態で閉塞された場合に操作可能な第１の入力手段と、撮影モード時に第１の入力手段が操作された場合に、当該撮影モードに関するメニュー画面を表示画面上に表示する表示制御手段とを備えたものである。
【００１１】
従って、本発明情報処理装置にあっては、カメラ部による撮影時に表示部によってキーボードを閉塞することが可能になるので、撮影者が誤ってキーボードを操作することによる誤動作を回避することができる。また、本体部のキーボード側と表示部の表示画面側とが対向した状態での閉塞をロックするロック手段と本体部のキーボード側と表示部の表示画面を有さない側とが対向した状態での閉塞をロックするロック手段を設けるとともに、両ロック手段を共通にして単一化したので、構造を複雑化することなくキーボードを隠しつつ表示画面は表裏どちらにしても閉塞状態をロックすることができ、コンピュータとしての使用はもちろん、ビデオカメラとしての使用にも適した情報処理装置を提供することができる。また、第１の入力手段は、キーボードの所定の操作キーと同じ機能を有するので、ビデオカメラとしても使用できる情報処理装置の使い勝手を向上させることができる。
【００１２】
【発明の実施の形態】
以下に、本発明の実施の形態を添付図面に従って説明する。
【００１３】
情報処理装置１はコンピュータ本体２と表示部３とを備えている（図１乃至図５参照）。尚、コンピュータ本体２の以下の説明にあっては、キーボードに配置された操作キーが上方を向きコンピュータ本体２の後方側に表示部３が位置されている状態において前後左右及び上下方向を規定する。
【００１４】
コンピュータ本体２の上面部２ａにはキーボード４が設けられ、該キーボード４には所定の操作キー５、５、・・・が配置されている（図１及び図６参照）。
コンピュータ本体２の内部にはＣＰＵ（中央演算処理装置）等の処理手段が設けられており、キーボード４の操作キー５、５、・・・等に対する操作によって入力された信号についての各処理が行われる。
【００１５】
操作キー５、５、・・・は、右端手前側に位置する３つの操作キー５、５、５を除いて横７列に隣接して配置されている（図１及び図６参照）。
【００１６】
操作キー５、５、・・・は複数の異なる種類の各キーから成る（図６参照）。
【００１７】
最後列、即ち、第１列には、前の操作の段階に戻すため等のエスケープキー５ａ及び所定の機能を実行させるためのファンクションキー５ｂ、５ｂ、・・・（Ｆ１〜Ｆ１２）が配置されている。
【００１８】
最後列の１つ前側の列である第２列には、内蔵されたアプリケーションソフトウェアを立ち上げるためのアプリケーションキー５ｃ、表示されている画像を取り込むためのプリントスクリーンキー５ｄ、所定の記号やカナを入力するための記号キー５ｅ、５ｅ及びカナキー５ｆ、５ｆ、５ｆ、入力した文字を削除するためのディリートキー５ｇ及びバックスペースキー５ｈ等が配置されている。
【００１９】
第２列の１つ前側の列である第３列には、数字の入力が可能な数字キー５ｉ、５ｉ、・・・及び１つの記号キー５ｅが配置されている。
【００２０】
第４列には、カーソルを所定の位置にジャンプさせるためのタブキー５ｊとアルファベットの入力が可能なアルファベットキー５ｋ、５ｋ、・・・が配置されている。尚、アルファベットキー５ｋ、５ｋ、・・・は、カナキー５ｆ、５ｆ、・・・としても機能する。そして、第３列と第４列とに跨って、右端に入力等を確定するためのエンターキー５ｌが配置されている。
【００２１】
第５列には、入力文字を変換するためのキャプスロックキー５ｍとアルファベットキー５ｋ、５ｋ、・・・とカナキー５ｆ、５ｆが配置されている。
【００２２】
第６列には、他の操作キー５、５、・・・と組み合わせて使用され特定の機能を実行させるためのシフトキー５ｎ、アルファベットキー５ｋ、５ｋ、・・・及びカナキー５ｆ、５ｆが配置されている。
【００２３】
第７列には、他の操作キー５、５、・・・と組み合わせて使用され特定の機能を実行するためのコントロールキー５ｏ、５ｏ及びオルトキー５ｐ、ウインドウズソフトウェアのスタートメニューを表示するためのウインドウズキー５ｑ、スペースを設ける等のためのスペースキー５ｒ、シフトキー５ｎ、カーソルを移動するための移動キー５ｓ等が配置されている。
【００２４】
第８列には、右端側に寄って３つの移動キー５ｓ、５ｓ、５ｓが配置されている。
【００２５】
操作キー５、５、・・・は以上のように配置されており、ファンクションキー５ｂ、５ｂ、・・・、数字キー５ｉ、５ｉ、・・・及びアルファベットキー５ｋ、５ｋ、・・・は、既存のキーボードにおける操作キーの配列状態と全く変わっていない。また、カナキー５ｆ、５ｆ、・・・も入力文字「へ」、「ほ」、「む」を除いては既存のキーボードにおける操作キーの配列状態と全く変わっていない。
【００２６】
例えば、後述するカメラ部を含めたコンピュータ本体２の全体の横幅Ｈ１（図６参照）を従来のコンピュータ本体ｃの横幅と同じ２４９ｍｍに設定すると、カメラ部の大きさを考慮してキーボード４の横幅Ｈ２（図６参照）が１７８ｍｍとなる。そして、操作キー５、５の中心間のピッチであるキーピッチは、既存のキーボードの操作キーの配列状態である横６列の配置を変更した結果、最小で１３．８ｍｍが確保されている。
【００２７】
従って、情報処理装置１にあっては、上記のように操作キー５、５、・・・を配置したことにより、良好な操作性を維持するための十分なキーピッチを確保した上で、キーボード４の小型化を図ることができる。
【００２８】
また、ファンクションキー５ｂ、５ｂ、・・・は、通常、操作時にブラインドタッチされない操作キー５、５、・・・であるため、上記のように、ファンクションキー５ｂ、５ｂ、・・・を最後列である第１列に配置しブラインドタッチされる他の操作キー５、５、・・・を第２列以下に配置することにより、ブラインドタッチの操作に支障を来たすようなことがなく、良好な操作性を維持することができる。
【００２９】
尚、上記には、キーボード４の操作キー５、５、・・・を横７列又は８列に配列した場合を示したが、良好な操作性を維持できるだけのキーピッチが確保されキーボード４の良好な使い勝手を確保することができれば、横７列又は８列に限らず、操作キー５、５、・・・をそれ以上の列に配列してもよい。
【００３０】
コンピュータ本体２の上面部２ａの前端部でその左右方向における中央部には、マウスカーソルの移動に用いられスティック式ポインティングデバイス６、マウスの左釦及び右釦に相当する左クリック釦７及び右クリック釦８、スクロール操作するためのセンター釦９が設けられている（図１参照）。
【００３１】
コンピュータ本体２の中央部２ａの前端部には、左右に離間してロック爪挿通孔１０、１０が形成されている（図１参照）。そして、後述するように、必要に応じて、コンピュータ本体２の内部に設けられた後述する一対のロック爪が、それぞれロック爪挿通孔１０、１０から上方へ突出されるようになっている。
【００３２】
コンピュータ本体２の上面部２ａには、キーボード４の直ぐ後方でその右端部にインジケーター１１、１１、・・・が設けられており（図１参照）、該インジケーター１１、１１、・・・はそれぞれ後述する板状の記憶媒体のアクセス状態、ナムロックキーの操作状態、キャプスロックキー５ｍの操作状態、スクロールロックの状態を表示するものである。また、インジケーター１１、１１、・・・の右側には、電源釦１２が配置されている。
【００３３】
コンピュータ本体２の上面部２ａの後端部には左右に離間して支持突部１３、１３が突設され、該支持突部１３、１３は左右方向に長く形成されている（図１及び図２参照）。そして、左側の支持突部１３にはインジケーター１４、１４、１４が設けられ、該インジケーター１４、１４、１４はそれぞれ電源の入力状態、後述するバッテリーの充電状態、コンピュータ本体２に内蔵されたハードディスクの駆動状態を表示するものである。
【００３４】
コンピュータ本体２の前面部２ｂの右端寄りの位置には、放熱孔１５が形成され（図２参照）、コンピュータ本体２の内部に放熱孔１５に対応した位置に図示しないファンが配置されている。そして、前面部２ｂの左端寄りの位置には、スライド摘子１６が支持されており、該スライド摘子１６を左方へスライド操作すると、上記ロック爪がロック爪挿通孔１０、１０から上方へ突出され、スライド摘子１６を右方へスライド操作すると、突出されていたロック爪がコンピュータ本体２内に収納されるようになっている。また、コンピュータ本体２の右端寄りの位置には、前面部２ｂから底面部にかけて回り込むようにして、前方及び下方から視認可能な撮影時点灯レンズ１７が設けられている。撮影時点灯レンズ１７は、後述するカメラ部を用いた撮影時に点灯されるようになっており、被撮影者は撮影時点灯レンズ１７を視認することにより撮影されていることを認識することができる。
【００３５】
コンピュータ本体２の左側面部２ｃには、その後方側からステレオスピーカー１８、ＡＣアダプターが接続されるＤＣジャック１９、各種の記録再生機器又はマイクロフォンとの接続用のＬＩＮＥＩＮ／ＭＩＣコネクタ２０、ヘッドフォン接続用のヘッドフォンジャック２１が設けられている（図３参照）。そして、左側面部２ｃには、ヘッドフォンジャック２１の前側にモジュラージャック用のモデム端子２２、モニター接続のためのＶＧＡ（Video Graphics Array）ＯＵＴコネクタ２３が設けられ、これらのモデム端子２２及びＶＧＡＯＵＴコネクタ２３は、非使用時にはカバー２４によって保護されている。また、左側面部２ｃの前端部には、ＵＳＢ（Universal Serial Bus）端子２５が設けられている。さらに、左側面部２ｃには、ＰＣカードが挿入されるＰＣカードスロット２６が設けられ、該ＰＣカードスロット２６の近傍に挿入したＰＣカードを取り出すためのイジェクト釦２６ａが設けられている。
【００３６】
コンピュータ本体２の底面部２ｄには、その略中央部に、三脚ネジ穴２７が形成されている（図４参照）。この三脚ネジ穴２７は三脚を立てるための穴であり、後述するカメラ部による撮影時に三脚を用いて情報処理装置１を固定することにより、例えば、定点観測を行うことができ、情報処理装置１の用途の向上が図られる。
【００３７】
コンピュータ本体２の底面部２ｄの前端寄りの位置には、後述するカメラ部のレンズ保護キャップを保持する保持凹部２８が形成されている（図４参照）。
【００３８】
コンピュータ本体２の後端部には内部にバッテリーが装着されたバッテリーパック２９が着脱自在に設けられる（図４参照）。そして、底面部２ｄの後端部には、左右に離間してバッテリー用摘子３０、３０がスライド自在に支持されており、バッテリー用摘子３０、３０をそれぞれ所定の方向へスライド操作することにより、取り付けられたバッテリーパック２９のコンピュータ本体２へのロック又はコンピュータ本体２からの取外を行うことができる。
【００３９】
コンピュータ本体２の右端部はその後端部が右方へ突設されて釦配置部３１として設けられている（図１、図４及び図５参照）。釦配置部３１の側面、即ち、コンピュータ本体２の右側面部２ｅには、後方側からステレオスピーカー３２、所謂ビデオデッキ等と接続するための４ピン対応のＩＥＥＥ（Institute of Electrical and Electronics Engineers）１３９４端子３３、テレビジョンと接続するためのＡＶＯＵＴ端子３４が設けられている。また、右側面部２ｅには、板状の記憶媒体を挿入するためのスロット３５が設けられている。
【００４０】
釦配置部３１の上面には、手前側にアプリケーション釦３６、その後側にメニュー釦３７、これら両者の間の右側と左側にそれぞれＡ釦３８、Ｂ釦３９が設けられている（図１参照）。これらの各釦３６、３７、３８、３９は、何れもカメラ部による撮影時に使用する釦であり、これらの機能については後述する。
【００４１】
釦配置部３１の前方にはＣＣＤ（Charge Coupled Device）撮像素子を有するカメラ部４０が設けられ、該カメラ部４０はコンピュータ本体２の前端寄りの右側面に設けられた図示しない軸を介してコンピュータ本体２に回動自在に支持されている（図１、図２、図４及び図５参照）。このカメラ部４０は、例えば、光学１０倍ズーム、手ぶれ補正機能、オートフォーカス機能といった高性能の機能を有している。
【００４２】
カメラ部４０はレンズ鏡筒４１と該レンズ鏡筒４１の一端部に設けられたフォーカスリング４２とを有し、レンズ鏡筒４１内には、所要のレンズ群が配置されている。カメラ部４０には、前面レンズ４３を保護するレンズ保護キャップ４４が着脱自在に設けられ、該レンズ保護キャップ４４はレンズ鏡筒４１に結ばれた紐４５の先端部に取り付けられている（図１２参照）。
【００４３】
カメラ部４０の撮影時に取り外されたレンズ保護キャップ４４は、コンピュータ本体２の底面部２ｄに形成された上記保持凹部２８に挿入して保持することができる。従って、カメラ部４０による撮影時に取り外されたレンズ保護キャップ４４がぶらぶらして撮影の邪魔になるようなことがなく、また、紛失するおそれもないので、情報処理装置１の使い勝手の向上を図ることができると共にカメラ部４０の不使用時に前面レンズ４３を確実に保護することができる。
【００４４】
表示部３には、ＬＣＤ（Liquid Crystal Display）を有する表示画面４６が設けられ、該表示画面４６の周縁が枠部４７として形成されている（図１参照）。
尚、表示部３の以下の説明にあっては、表示画面４６が前方又は上方を向いた状態において左右方向を規定し、コンピュータ本体２に支持された側を一端側、その反対側を他端側とする。また、表示画面４６が設けられた面を前面、その反対側の面を後面とする。
【００４５】
枠部４７の前面４７ａには、その右端部に撮影釦として機能するキャプチャー釦４８と画角を変更するためのズーム摘子４９とが設けられている（図１参照）。キャプチャー釦４８が半押し状態にされたときにカメラ部４０によって撮影される画像のフォーカシング調整が為され、全押し状態にされたときにフォーカシング調整された画像が取り込まれるようになっている。また、ズーム摘子４９をスライド操作することにより、ズーム機能（広角又は望遠）が発揮され画角の変更が為される。尚、ズーム摘子４９を他端側へスライドさせるとＷｉｄｅ（広角）、一端側へスライドさせるとＴｅｌｅ（望遠）となる。
【００４６】
枠部４７の右側面４７ｂには、一部が側方へ突出されたジョグダイヤル５０が設けられている（図１、図５、図７及び図８参照）。ジョグダイヤル５０は、図７に示すように、回転操作により、例えば、表示画面４６に表示されたジョグダイヤル用のウインドウ上のアプリケーションソフトウェアのメニューがスクロールされ、図８に示すようにジョグダイヤル５０の回転軸方向への押圧操作により選択されたメニューの実行が為されるようになっている。尚、情報処理装置１にあっては、表示画面４６にジョグダイヤル用のウインドウが常に表示されるようになっているが、一定時間経過後にこのウインドウを閉じるように設定することも可能である。
【００４７】
ジョグダイヤル５０を回転操作するときには、所定の回転角度毎に軽い引っ掛かり、即ち、クリック感が生じるようになっている。従って、操作時に、回転操作の量が触覚を通じて認識される。
【００４８】
上記ジョグダイヤル用のウインドウには、例えば、「取扱説明書」、「○○ソフト」、「△△設定」等のメニューが表示されており、これらのメニューをジョグダイヤル５０の回転操作により選択し、ジョグダイヤル５０の押圧操作によって実行させ、例えば、表示画面４６の輝度調整、ステレオスピーカー１８、３２の音量設定、カメラ部４０の画質やモード（静止画又は動画）設定等を行うことができる。
【００４９】
また、カメラ部４０についての設定は、所定のアプリケーションソフトウェア（以下、「ソフトＡ」と言う。）が実行されることにより行われる。ソフトＡの実行は、ジョグダイヤル５０の操作によって行われ、このソフトＡの実行によって静止画モードと動画モードの選択、表示画面４６に表示される任意の静止画像の選択、表示画面４６に表示される任意の動画像の選択、静止画像及び動画像のスクロール、動画像の再生・一時停止等を行うことができる。
【００５０】
枠部４７の右側面４７ｂには、ジョグダイヤル５０より他端側にバック摘子５１が設けられている（図１及び図５参照）。バック摘子５１は、ジョグダイヤル５０を誤って操作したときに、選択したメニューの１つ前の階層に戻す機能を有する。
【００５１】
枠部４７の前面４７ａには、その他端部４７ｃに左右に離間して係合孔５２、５２が形成されている（図１参照）。係合孔５２、５２は、表示画面４６がキーボード４と対向した状態で表示部３がキーボード４を閉塞した閉塞位置において（図９参照）、それぞれコンピュータ本体２のロック爪挿通孔１０、１０から上方へ突出された上記ロック爪と係合され、これにより表示部３が閉塞位置にロックされる。また、枠部４７の他端部４７ｃにはマイクロフォン５３が設けられている（図１及び図４参照）。
【００５２】
枠部４７の後面４７ｄには、その他端部４７ｃに左右に離間して係合孔５４、５４が形成されている（図４参照）。係合孔５４、５４は、後面４７ｄがキーボード４と対向した向きで表示部３がキーボード４を閉塞した閉塞位置において（図１０参照）、それぞれコンピュータ本体２のロック爪挿通孔１０、１０から上方へ突出された上記ロック爪と係合され、これにより表示部３が閉塞位置にロックされる。
【００５３】
キーボード４が開放された状態から表示部３を閉塞位置へ向けて回動させた場合に、ロック爪がロック爪挿通孔１０、１０から上方へ突出されていたときには、各ロック爪が係合孔５２、５２又は係合孔５４、５４に自動的に係合してロックが為されるようになっている。また、キーボード４が開放された状態から表示部３を閉塞位置へ向けて回動させた場合に、ロック爪がロック爪挿通孔１０、１０から上方へ突出されていなかったときには、コンピュータ本体２と表示部３とが当接された状態でコンピュータ本体２の前面部２ｂに設けられた上記スライド摘子１６を左方へスライド操作することによりロック爪がロック爪挿通孔１０、１０から上方へ突出され係合孔５２、５２又は係合孔５４、５４と係合されて表示部３がロックされる。
【００５４】
尚、表示部３のロックを解除するときには、スライド摘子１６を右方へスライド操作することによりロック爪がコンピュータ本体２内へ収納されてロックが解除される。
【００５５】
尚、上記したロック爪及び該ロック爪を操作するための機構を有するロック爪ユニットの詳細と該ロック爪ユニットの動作については後に詳細に説明する。
【００５６】
コンピュータ本体２の後端部に設けられた上記支持突部１３、１３間には、左右方向に長い支持部材５５が挿入されており、表示部３は支持部材５５を介してコンピュータ本体２に支持されている（図１、図２及び図１２参照）。即ち、支持部材５５内には、支持突部１３、１３に貫通された左右方向に延びる第１の支持軸５６が設けられ、該第１の支持軸５６を介して支持部材５５が支持突部１３、１３に対して回動可能とされ、表示部３は第１の支持軸５６と直交する第２の支持軸５７を介して支持部材５５に対して回転可能とされている（図１２参照）。従って、表示部３は第１の支持軸５６を中心として支持突部１３、１３に対して支持部材５５と一体となって図１２に示すＲ１−Ｒ２方向へ回動され、また、第２の支持軸５７を介して支持部材５５に対して図１２に示すＳ１−Ｓ２方向へ回転される。
【００５７】
以下に、情報処理装置１の回路構成について説明する（図１１参照）。
【００５８】
コンピュータ本体２には各種の機能を統括的に制御するＣＰＵ５８が設けられており、該ＣＰＵ５８がホストバス５９に接続されている。そして、ＣＰＵ５８によってＲＡＭ（Random Access Memory）６０にロードされた各種のプログラムやアプリケーションソフトウェアに応じた処理を、クロックジェネレータ６１から付与されるシステムクロックに基づいて所定の動作速度で実行することにより、各種の機能を為し得るようになっている。
【００５９】
ホストバス５９にはキャッシュメモリ６２が接続されており、該キャッシュメモリ６２によってＣＰＵ５８が使用するデーターをキャッシュし、これにより高速アクセスが為されるようになっている。
【００６０】
ホストバス５９は、ＰＣＩ（Peripheral Component Interconnect）バス６３とホストＰＣＩブリッジ６４を介して接続されている。そして、ホストＰＣＩブリッジ６４は、メモリバス６５を介してＲＡＭ６０と接続されている。
【００６１】
ＰＣＩバス６３には、ビデオコントローラ６６、ＩＥＥＥ１３９４インターフェース６７、ビデオキャプチャー処理チップ６８及びＰＣカードインターフェース６９が接続されている。
【００６２】
ホストＰＣＩブリッジ６４はＣＰＵ５８とビデオコントローラ６６、ＩＥＥＥ１３９４インターフェース６７、ビデオキャプチャー処理チップ６８又はＰＣカードインターフェース６９との間で行われる各種のデーターの授受を制御すると共にメモリバス６５を介して接続されたＲＡＭ６０のメモリーコントロールを行う。また、ホストＰＣＩブリッジ６４は、ビデオコントローラ６６とＡＧＰ（Accelerated Graphics Port）７０に沿った信号線を介して接続されており、これによりホストＰＣＩブリッジ６４とビデオコントローラ６６との間で画像データを高速転送されるようになっている。
【００６３】
ビデオキャプチャー処理チップ６８は、シリアスバスであるＳＭ（System Management）バス７１と接続されている。そして、ビデオキャプチャー処理チップ６８にＳＭバス７１を介して上記カメラ部４０によって撮影された画像データが供給されると、供給された画像データがビデオキャプチャー処理チップ６８に内蔵された図示しないフレームメモリに一旦格納され、ＪＰＥＧ（Joint Photographic Experts Group）規格にしたがって画像圧縮処理が為されてＪＰＥＧ画像データが生成され、生成されたＪＰＥＧ画像データが再びフレームメモリに格納されるようになっている。
【００６４】
また、ビデオキャプチャー処理チップ６８は、ＣＰＵ５８から送出された指令信号に基づいてフレームメモリに格納されているＪＰＥＧ画像データをバスマスタ機能を用いてＲＡＭ６０に転送し、ＪＰＥＧ画像データ（静止画データ）又はモーションＪＰＥＧ画像データ（動画データ）としてＨＤＤ（Hard Disk Drive）７２に転送する。
【００６５】
ビデオコントローラ６６はカメラ部４０によって撮影された画像データやビデオキャプチャー処理チップ６８によって生成されたＪＰＥＧ画像データに対して所定のグラフィックス処理を施し、次いで内蔵されている図示しないＶＲＡＭ（Video Random Access Memory）に格納して適宜読み出し、ＬＣＤを有する上記表示画面４６に画像を表示する。また、ビデオコントローラ６６は供給される各種のアプリケーションソフトウェアに基づく画像データを表示画面４６に出力し、複数のウインドウ画面を表示する。
【００６６】
ＰＣカードインターフェース６９は上記ＰＣカードスロット２６に接続され、オプション機能を追加するときにＰＣカードを介して装着されるようになっており、例えば、ＣＤ−ＲＯＭドライブやＤＶＤドライブ等の外部デバイスとＰＣカードを介して接続される。
【００６７】
ＩＥＥＥ１３９４インターフェース６７は上記ＩＥＥＥ１３９４端子３３と接続されており、例えば、他のコンピュータ装置やデジタルビデオカメラ等の外部デバイスとＩＥＥＥ１３９４端子３３を介して接続される。
【００６８】
上記ＰＣＩバス６３はＰＣＩ−ＩＳＡ（Industrial Standard Architecture）ブリッジ７３を介してＩＳＡバス７４と接続されており、ＰＣＩ−ＩＳＡブリッジ７３にはＨＤＤ７２と上記ＵＳＢ端子２５とが各別に接続されている。ＰＣＩ−ＩＳＡブリッジ７３は、ＩＤＥ（Integrated Drive Electronics）インターフェース、コンフィギュレーションレジスタ、ＲＴＣ（Real Time Clock）回路、ＵＳＢインターフェース等によって構成され、上記クロックジェネレータ６１から付与されるシステムクロックに基づいてＩＤＥインターフェースを介してＨＤＤ７２を制御する。
【００６９】
ＨＤＤ７２のハードディスクには、ＯＳ（Operating System）、電子メールプログラム、オートパイロットプログラム等の他、各種のアプリケーションソフトウェアが記憶されており、起動処理の過程でこれらのアプリケーションソフトウェア等がＲＡＭ６０に転送される。また、ＰＣＩ−ＩＳＡブリッジ７３は、ＵＳＢ端子２５を介して接続されるフロッピーディスクドライブ、プリンタ、ＵＳＢマウス等の外部デバイスをＵＳＢインターフェイスを介して制御すると共にＩＳＡバス７４に接続されるモデム７５及びサウンドコントローラ７６を制御する。
尚、モデム７５は上記モデム端子２２に接続され、また、サウンドコントローラ７６は上記ステレオスピーカー１８、３２及びマイクロフォン５３に各別に接続される。
【００７０】
モデム７５はモデム端子２２を介して電話回線及びインターネットを通じインターネットサービスプロバイダと接続される。また、サウンドコントローラ７６はマイクロフォン５３を通じて音声信号の取込及びステレオスピーカー１８、３２への音声信号の出力を行う。
【００７１】
ＩＳＡバス７４には、Ｉ／Ｏコントローラ７７が接続され、電源供給充電制御回路７８を介して外部電源コネクタ７９から電力の供給が為され、上記電源釦１２がオンされたときに所要の各部に電力を供給する。そして、Ｉ／Ｏコントローラ７７はクロックジェネレータ６１と接続されており、該クロックジェネレータ６１から供給されるシステムクロックに基づいて動作される。また、電源供給充電制御回路７８は、Ｉ／Ｏコントローラ７７によって制御され、上記バッテリーパック２９のバッテリーの充電の制御を行う。
【００７２】
Ｉ／Ｏコントローラ７７はマイクロコントローラ、Ｉ／Ｏインターフェイス、ＣＰＵ、ＲＯＭ、ＲＡＭ等によって構成され、フラッシュメモリ８０に格納されているＢＩＯＳ（Basic Input Output System）に基づいてＯＳやアプリケーションソフトウェアと表示画面４６やＨＤＤ７２等の周辺機器との間におけるデータの入出力を制御する。
【００７３】
Ｉ／Ｏコントローラ７７は反転スイッチ８１と接続されており、上記カメラ部４０がコンピュータ本体２に対して所定の方向へ回動されたときに反転スイッチ８１をオンとし、その信号がＰＣＩ−ＩＳＡブリッジ７３及びホストＰＣＩブリッジ６４を介してＣＰＵ５８に入力され、これにより表示画面４６に表示される画像が反転されるようになっている。
【００７４】
Ｉ／Ｏコントローラ７７は上記キャプチャー釦４８とも接続されており、キャプチャー釦４８が上記したように半押し状態又は全押し状態にされたときに、その旨の信号がＣＰＵ５８に入力され所定のモードが設定される。
【００７５】
即ち、ＨＤＤ７２のハードディスクから撮像用の所定のソフトウェアがＲＡＭ６０に転送されているときに、キャプチャー釦４８が半押し状態にされると、静止画像モードが設定され静止画像がフリーズされ、キャプチャー釦４８が全押し状態にされると、フリーズされた静止画像データが取り込まれて上記ビデオコントローラ６６に送出される。そして、キャプチャー釦４８が半押し状態にされたときには、上記したようにフォーカシング調整が為される。尚、フォーカシング調整は、カメラ部４０の上記フォーカスリング４２を回転させることにより、マニュアル操作によっても行うことが可能である。
【００７６】
一方、撮像用の所定のソフトウェアがＲＡＭ６０に転送されていないときに、キャプチャー釦４８が全押し状態にされると、動画像モードが設定され動画像データが取り込まれて上記ビデオコントローラ６６に送出される。
【００７７】
Ｉ／Ｏコントローラ７７のＲＯＭには、ジョグダイヤル監視プログラム、キー入力監視プログラム、インジケーター制御プログラム等の各種のプログラムが格納されている。ジョグダイヤル監視プログラムはジョグダイヤル５０の回転操作及び押圧操作の状態を監視するプログラムである。キー入力監視プログラムは上記操作キー５、５、・・・やスティック式ポインティングデバイス６、左クリック釦７、右クリック釦８、センター釦９等の入力を監視するプログラムである。
インジケーター制御プログラムは上記インジケーター１１、１１、・・・及びインジケーター１４、１４、１４の点灯／消灯を制御するプログラムである。
【００７８】
Ｉ／Ｏコントローラ７７は回転検出部８２を介してジョグダイヤル５０と接続されており、ジョグダイヤル５０の回転操作及び押圧操作によってあるメニューが選択・決定されると、Ｉ／Ｏコントローラ７７のＲＡＭに格納されたＩ／Ｏレジスタに回転操作フラグ及び押圧操作フラグを格納すると共にその旨の信号をＣＰＵ５８に送出する。
【００７９】
ＣＰＵ５８は、ＨＤＤ７２から読み出してＲＡＭ６０で起動中のジョグダイヤルユーティリティプログラムに従って、決定されたメニューに該当するアプリケーションソフトウェアを立ち上げて所定の処理を実行する。
【００８０】
Ｉ／Ｏコントローラ７７はアプリケーション釦３６、メニュー釦３７、Ａ釦３８及びＢ釦３９と各別に接続されており、これらの各釦３６、３７、３８、３９の操作によって後述する所定の機能が実行されるようになっている。
【００８１】
尚、Ｉ／Ｏコントローラ７７は電源釦１２がオフでＯＳが起動していない状態であっても、上記電源供給充電制御回路７８の制御によってジョグダイヤル監視プログラムに基づいて常時動作されており、ジョグダイヤル５０の操作によって決定されたアプリケーションソフトウェア等を起動し得るようになっている。
【００８２】
また、Ｉ／Ｏコントローラ７７は上記ＳＭバス７１と接続されており、操作キー５、５・・・やジョグダイヤル５０によって設定したカメラ部４０に対する各種のパラメーターをＳＭバス７１を介して供給することにより、カメラ部４０における電源のオン／オフの制御や明るさ、コントラスト等の調整を行うことができるようになっている。
【００８３】
Ｉ／Ｏコントローラ７７は上記ズーム摘子４９、バック摘子５１の操作状態を監視するプログラムをも有しており、ズーム摘子４９、バック摘子５１の操作に応じた信号をＣＰＵ５８に送出する。
【００８４】
次ぎに、上記したロック爪挿通孔１０、１０から出入りして表示部３をコンピュータ本体２の上面部２ａを覆った状態にロックするためのロック爪を操作するためのロック爪ユニット８３について、主として図２５乃至図２９を参照して説明する。
【００８５】
コンピュータ本体２の前面部２ｂはロック爪ユニット８３によって構成されている。すなわち、ロック爪ユニット８３はコンピュータ本体２の前面部２ｂを為す横長の前面パネル８４を有し、ロック爪ユニット８３がコンピュータ本体２の前面部２ｂを除く部分の前端に取着されることによって、上記前面パネル８４がコンピュータ本体２の前面部２ｂを為すことになる。
【００８６】
該前面パネル８４は合成樹脂成形品として形成され、右端寄りの部分には放熱口１５が形成され、左端寄りの部分の前面には左右方向に長い凹部８５が形成され、該凹部８５の上下方向におけるほぼ中央部には左右方向に長い挿通孔８６が形成されている。また、前面パネル８４には後方へ向けて突出した取付用ボス８７、８７、８７が形成されている。さらに、位置決め孔８８、８８、・・・（図面では２個のみ示す）が形成されている（図２６参照）。
【００８７】
上記前面パネル８４の後側には板金材料で形成されたベースプレート８９が固定される。ベースプレート８９にはネジ挿通孔９０、９０、９０が形成されており（図２６参照）、該ネジ挿通孔９０、９０、９０を後方から挿通されたネジ９１、９１、９１が上記前面パネル８４の取付用ボス８７、８７、８７の後端に捻じ込まれ、これによって、ベースプレート８９が前面パネル８４に固定される。
【００８８】
上記ベースプレート８９には軸ピン９２、９２、・・・が前方へ向けて突設されており（図２６参照）、ベースプレート８９が、上記したように、前面パネル８４に固定されると、上記軸ピン９２、９２、・・・の前端部が前面パネル８４に形成された位置決め孔８８、８８、・・・に嵌合され、これによって、軸ピン９２、９２、・・・の位置が安定する。
【００８９】
ベースプレート８９には後方へ突出された２個の取付片９３、９３と２個の位置決め片９４、９４とが形成されている。そして、取付片９３、９３にはネジ挿通孔９３ａ、９３ａが形成され、左側の位置決め片９４には小さい円形の位置決め孔９４ａが形成され、右側の位置決め片９４には左右方向に長い長孔状の位置決め孔９４ｂが形成されている（図２６参照）。そして、コンピュータ本体２の図示しないフレームシャーシに突設された位置決めピンにベースプレート８９の位置決め片９４、９４に形成された位置決め孔９４ａ、９４ｂが係合されてロック爪ユニット８３がフレームシャーシに位置決めされ、その状態で、取付片９３、９３のネジ挿通孔９３ａ、９３ａを挿通された図示しないネジが上記フレームシャーシに螺着され、これによって、ロック爪ユニット８３がフレームシャーシに固定されて、コンピュータ本体２の前面部２ｂを構成することになる。
【００９０】
尚、ベースプレート８９の左端寄りの位置の下方部にはバネ支持孔９５が形成されている（図２６参照）。
【００９１】
上記した前面パネル８４とベースプレート８９との間に２個のロック爪とこれらロック爪の動きを連動させるリンクレバーが配設される。
【００９２】
リンクレバー９６は合成樹脂の成形品として形成され、左右方向に長い板状をしている。リンクレバー９６の左右両端部には左右方向に長いスライド孔９７、９７が形成されており、ベースプレート８９の上記した軸ピン９２、９２、・・・のうち左右両端部の下側に位置したもの９２、９２がリンクレバー９６の上記スライド孔９７、９７に挿通されることによって、リンクレバー９６が前面パネル８４及びベースプレート８９に対して左右方向にスライド可能に支持される。
また、リンクレバー９６には左右両端部に上下方向に長い連結孔９８、９８が形成され、さらに、左端寄りの上縁に連結切欠９９が形成されている（図２６参照）。
【００９３】
左右のロック爪１００、１００は同じ形状をしている。尚、ロック爪１００の説明において上下及び左右の関係は、ロック爪挿通孔１０から突出したロック爪１００を前方から見た状態においての上下及び左右として説明する。ロック爪１００はほぼ上下方向に長く形成され、上下方向におけるほぼ中間の位置に被支持孔１０１が形成されている。被支持孔１０１から上方の部分１０２の左側縁１０２ａは上方に行くに従って右方へ変位する傾斜縁とされ、該上部１０２の上端部に右方へ突出した係止爪１０３が形成され、該係止爪１０３の上縁１０３ａは右下がりの傾斜縁とされ、下縁１０３ｂは左右方向に延びる係止部とされている。
また、ロック爪１００の下端には前方へ突出した連結ピン１０４が形成されている（図２６参照）。
【００９４】
上記したロック爪１００、１００は、その被支持孔１０１、１０１にベースプレート８９の上側の２つの軸ピン９２、９２が各別に挿通されることによって前面パネル８４及びベースプレート８９に対して回動自在に支持され、また、連結ピン１０４、１０４がリンクレバー９６の連結孔９８、９８にスライド可能に挿通されることによってリンクレバー９８と連結される。これによって、左右のロック爪１００、１００の動作がリンクレバー９６を介して連動される。
【００９５】
ベースプレート８９と左側のロック爪１００との間にトグルバネ１０５が介挿される。トグルバネ１０５は中央のコイル部１０５ａから２つの腕１０５ｂ、１０５ｃが延びてほぼＶ字状に形成され、一方の腕１０５ｂの先端にはコイル部１０５ｄが形成されている（図２６参照）。そして、トグルバネ１０５の一方の腕１０５ｂのコイル部１０５ｄがロック爪１００の連結ピン１０４に外嵌され、他方の腕１０５ｃの先端部がベースプレート８９のバネ支持孔９５に係合される。
このようにして、トグルバネ１０５が左側のロック爪１００とベースプレート８９との間に介挿される。そして、トグルバネ１０５には２つの腕１０５ｂ、１０５ｃ先端間が開くような力が働いているので、図２８に示すように、ロック爪１００、１００がロック爪挿通孔１０、１０から上方へ突出した状態では、ロック爪１００、１００は前方から見て時計回り方向、すなわち、図２８の矢印ＣＷ方向に付勢され、その結果、リンクレバー９６はロック爪１００の連結ピン１０４を介して左方へ、すなわち、図２８中矢印ＬＤ方向に付勢される。従って、リンクレバー９６はスライド範囲の左端に保持され、これによって、ロック爪１００、１００はロック爪挿通孔１０、１０から突出した状態に確実に保持される。また、図２７に示すように、ロック爪１００、１００がロック爪挿通孔１０、１０から内部に引っ込んだ状態では、ロック爪１００、１００は前方から見て反時計回り方向、すなわち、図２７中矢印ＣＣＷ方向に付勢され、その結果、リンクレバー９６はロック爪１００の連結ピン１０４を介して右方へ、すなわち、図２７中矢印ＲＤ方向に付勢される。従って、リンクレバー９６はスライド範囲の右端に保持され、これによって、ロック爪１００、１００はロック爪挿通孔１０、１０から引っ込んだ状態に確実に保持される。
【００９６】
上記リンクレバー９６には上記したスライド摘子１６が連係される。スライド摘子１６は合成樹脂成形品として形成され、主部１６ａと該主部１６ａから後方へ突出された連結片１６ｂとから成る（図２６参照）。そして、連結片１６ｂが前面パネル８４の挿通孔８６に前側から挿通され、該連結片１６ｂの前面パネル８４の後方へ突出した部分がリンクレバー９６の連結切欠９９内に位置した状態となる。このようにして、スライド摘子１６の主部１６ａが前面パネル８４の凹部８５内で左右方向にスライド可能に位置される。
【００９７】
次ぎに、このロック爪ユニット８３の動作について説明する。
【００９８】
図２７に示す状態がロック爪１００、１００が非ロック位置にある状態であり、この状態で、リンクレバー９６は移動範囲の右端に位置しており、スライド摘子１６も移動範囲の右端に位置していて、スライド摘子１６の連結片１６ｂはその左端がリンクレバー９６の連結切欠９９の左端と当接した状態となっている。
そこで、ロック爪１００、１００を図２８に示すようにロック爪挿通孔１０、１０から突出したロック位置へと回動させる場合は、スライド摘子１６を左方へ、すなわち、図２７の矢印ＬＤ方向へと移動させる。すると、スライド摘子１６の連結片１６ｂの左端がリンクレバー９６の連結切欠９９の左端を左方へと押圧するので、これによって、リンクレバー９６は左方へと移動される。リンクレバー９６の左方への移動によって、リンクレバー９６の連結孔９８、９８がロック爪１００、１００の連結ピン１０４、１０４を左方へと押圧するので、ロックレバー１００、１００は前方から見て時計回り方向、すなわち、図２７中矢印ＣＷ方向に回動して行き、図２８に示すロック位置へと達する。尚、左側のロック爪１００が時計回り方向に回動することによって、トグルバネ１０５の一方の腕１０５ｂの先端が他方の腕１０５ｃの先端に近づいて行き、やがて、該一方の腕１０５ｃの先端、すなわち、ロック爪１００の連結ピン１０４がトグルバネ１０５の他方の腕１０５ｃの先端を通る垂直線（リンクレバー９６の移動方向に対して垂直な線）１０６を左方へ越えると、トグルバネ１０５の２つの腕１０５ｂ、１０５ｃが開こうとする力がロック爪１００をさらに時計回り方向へ、また、リンクレバー９６を左方へと移動させる力となり、該力によって、リンクレバー９６は移動範囲の左端まで移動して、連結切欠９８の右端がスライド摘子１６の連結片１６ｂの右端に当接し、また、ロック爪１００、１００は垂直な姿勢になるまで回動される（図２８参照）。
【００９９】
そして、表示部３がコンピュータ本体２の上面部２ａを覆っている状態（図９、図１０参照）、すなわち、閉塞状態においてロック爪１００、１００が上記したように非ロック位置からロック位置へと回動されると、ロック爪１００、１００の係止爪１０３、１０３の係止部１０３ｂ、１０３ｂが表示部３に形成された係合孔５２、５２又は５４、５４の右側の内側開口縁５２ａ、５２ａ又は５４ａ、５４ａに係合し（図２８参照）、表示部３を上記閉塞状態にロックすることになる。
【０１００】
尚、表示部３の閉塞状態へのロックを左右方向における中央のみで行った場合には、両側部が浮き上がり易くなるが、上記したように、本情報処理装置１においては、表示部３を両側部でロックするので、両側部の浮き上がりが確実に防止され、コンピュータ本体２の上面部２ａと表示部３との間に塵埃等の異物が入り込みにくくなる。
【０１０１】
また、ロック爪が左右方向にスライドすることによって係合孔に係合するようにすると、ロック爪の係止部と該係止部が接触する面との間にある程度のクリアランスがないと、係合自体が不能であり、そのために、係止部と該係止部が接触する面との間に多少なりともクリアランスを設ける必要があり、該クリアランスが閉塞状態における表示部のガタつきの原因となる。それに対して、本情報処理装置１にあっては、ロック爪１００、１００は回動によってその係止爪１０３、１０３が係合孔５２、５２又は５４、５４に係合するので、係止爪１０３、１０３の係止部１０３ｂ、１０３ｂと係合孔５２、５２又は５４、５４の内側開口縁５２ａ、５２ａ又は５４ａ、５４ａとの間にクリアランスを設ける必要が無く、係止部１０３ｂ、１０３ｂによって上記内側開口縁５２ａ、５２ａ又は５４ａ、５４ａをコンピュータ本体２側へ引き込むようにすることが出来、そのために、表示部３をガタつきのない状態で閉塞状態にロックすることが出来る。
【０１０２】
図２８に示すロック位置からロック爪１００、１００を図２７に示す非ロック位置へと回動させる場合は、スライド摘子１６を右方へ、すなわち、図２８中矢印ＲＤ方向へ移動させる。スライド摘子１６を右方へ移動させると、該スライド摘子１６の連結片１６ｂの右端がリンクレバー９６の連結切欠９９の右端を右方へ押圧するので、リンクレバー９６が右方へ移動される。リンクレバー９６が右方へ移動すると、その連結孔９８、９８がロック爪１００、１００の連結ピン１０４、１０４を右方へ押圧するので、ロック爪１００、１００は前方から見て反時計回り方向、すなわち、図２８中矢印ＣＣＷ方向へ回動して図２７に示す非ロック位置へと達する。そして、左のロック爪１００が図２８に示すロック位置から図２７に示す非ロック位置へと回動していく過程において、トグルバネ１０５の一方の腕１０５ｂの先端が他方の腕１０５ｃの先端に近づくように押圧され、そして、一方の腕１０５ｂの先端が上記垂直線１０６を右側へ越えると、トグルバネ１０５の付勢力がリンクレバー９６を右方へ移動させるように働き、これによって、リンクレバー９６が移動範囲における右端まで移動すると共に、ロック爪１００、１００が図２７に示す非ロック位置まで回動される。そして、リンクレバー９６の連結切欠９９の左端がスライド摘子１６の連結片１６ｂの左端に当接する（図２７参照）。
【０１０３】
上記したロック爪ユニット８３によって表示部３の閉塞状態へのロックを行うようにすると、表示部３に係合孔５２、５２及び５４、５４のみを設ければよく、表示部３の小型化及び軽量化が可能である。しかも、この利点は、表示部３の閉塞状態が図９に示す状態と図１０に示す状態の二通りある場合には著しい。このように二通りの閉塞状態がある場合に、表示部３の表裏両面からロック爪が突出した状態になっているのは、該ロック爪が各種操作の邪魔になり、使い勝手が悪く、また、表示部３の表裏両面に突出・収納自在のロック爪を設けるとなると、表示部の大型化及び大重量化は免れない。
【０１０４】
上記したように、ロック爪１００、１００は必要のない時にはロック爪挿通孔１０、１０から内側に収納しておくことが出来るので、ロック爪１００、１００が使用者の情報処理装置１に対する操作、例えば、操作キー５、５、・・・の操作等の邪魔になることがないようにしておくことが出来る。
【０１０５】
尚、表示部３を図９や図１０に示す閉塞状態にロックする場合は、上記したように、ロック爪１００、１００が非ロック位置にある状態から、先ず、表示部３を閉塞状態にしてから、ロック爪１００、１００をロック位置へと移動させることによって行うが、表示部３の閉塞状態へのロックは、ロック爪１００、１００を図２８に示すロック位置に位置させた状態からでも行うことが出来る。すなわち、ロック爪１００、１００をロック位置に位置させた状態から表示部３を図９又は図１０に示す閉塞位置へと回動させる。すると、先ず、表示部３の係合孔５２、５２又は５４、５４の右側の縁がロック爪１００、１００の係合爪１０３、１０３の傾斜縁１０３ａ、１０３ａに当接し、これを押圧する（図２９（ａ）参照）。ロック爪１００、１００は係止爪１０３、１０３の傾斜縁１０３ａ、１０３ａが上方から押圧されることによって、前方から見て反時計回り方向への回動力を受け、該力がトグルバネ１０５の一方の腕１０５ｂを他方の腕１０５ｃに近付けるように作用するので、これによって、ロック爪１００、１００は反時計回り方向、すなわち、図２８中矢印ＣＣＷ方向へ僅かに回動して（リンクレバー９６も僅かに右方へ、すなわち、図２８中矢印ＲＤ方向へ移動する）、上記係合孔５２、５２又は５４、５４の右側縁の下方への通り抜けを許容する（図２９（ｂ）参照）。そして、表示部３の係合孔５２、５２又は５４、５４が係止爪１０３、１０３を下方へ通り抜けると、トグルバネ１０５の弾発力によって、リンクレバー９６は左方へ移動し、また、ロック爪１００、１００は時計回り方向に回動して、係止爪１０３、１０３の係止部１０３ｂ、１０３ｂが表示部３の係合孔５２、５２又は５４、５４の右側の内側開口縁５２ａ、５２ａ又は５４ａ、５４ａに係合する（図２９（ｃ）参照）。
【０１０６】
以下に、図１２乃至図２０に従って情報処理装置１の各使用形態について説明する。情報処理装置１はコンピュータとしての使用の他、上記したようにビデオカメラとしても使用することができる。
【０１０７】
図１２は、情報処理装置１をコンピュータとして使用するときの使用形態を示すものである。表示部３は図９に示す閉塞位置から図１２に示すＲ１方向へ回動され、コンピュータ本体２に設けられたキーボード４の操作キー５、５、・・・が開放されている。使用者は、この状態で操作キー５、５、・・・、スティック式ポインティングデバイス６、左クリック釦７、右クリック釦８、センター釦９、ジョグダイヤル５０等を操作して入力作業や入力した情報の編集作業等を行うことができる。
【０１０８】
情報処理装置１をビデオカメラとして使用する場合には、先ず、図１２の状態から表示部３を第２の支持軸５７を中心として図１２に示すＳ１方向又はＳ２方向へ回転させていく（図１３参照）。そして、表示部３をコンピュータ本体２に対して１８０°回転させたところで回転を停止させる（図１４参照）。このとき表示部３の表示画面４６が略後方を向いた状態となる。
【０１０９】
次に、表示部３を第１の支持軸５６を中心として回動し、表示部３によって操作キー５、５、・・・等を閉塞する（図１５参照）。表示部３が操作キー５、５、・・・等を閉塞した状態において、上記したように、コンピュータ本体２の前面部２ｂに設けられたスライド摘子１６を左方へスライド操作することによりロック爪１００、１００がロック爪挿通孔１０、１０から上方へ突出され係合孔５４、５４に係合されて表示部３が閉塞位置にロックされる（図２８参照）。この状態では、表示画面４６が外面側を向いている。
【０１１０】
使用者は、枠部４７の一端部４７ｅが下側に他端部４７ｃが上側に位置するようにし、かつ、両手で情報処理装置１の両側縁を把持し表示画面４６を正面に見ながらカメラ部４０を用いて情報処理装置１をビデオカメラとして使用する（図１６参照）。
【０１１１】
情報処理装置１にあっては、キャプチャー釦４８及びズーム摘子４９が表示部３の枠部４７に設けられており、撮影者は情報処理装置１を両手で把持した状態のままこれらのキャプチャー釦４８及びズーム摘子４９を操作することができる。従って、情報処理装置１をビデオカメラとして使用する際の使い勝手の向上を図ることができ、また、キャプチャー釦４８又はズーム摘子４９の使用時に情報処理装置１を両手で把持しているため誤って情報処理装置１を落下させてしまうような不都合を防止することができる。
【０１１２】
また、情報処理装置１にあっては、枠部４７にジョグダイヤル５０が設けられているため、上記のように情報処理装置１をコンピュータとして使用する場合及びビデオカメラとして使用する場合の何れの場合においても、表示画面４６を正面から見た状態ではジョグダイヤル５０が使用者から見て常に同じ位置（右側）にあるため、ジョグダイヤル５０に対する操作方向を情報処理装置１の使用の形態に応じて変更する必要がなく、常に違和感のない良好な操作性を確保することができ使い勝手の向上を図ることができる。
【０１１３】
使用者は、カメラ部４０を用いた撮影時において、カメラ部４０を前面レンズ４３が撮影者と反対側を向くように回動させて撮影者の対面に存在する被写体を撮影することができる（図１７参照）。このとき、カメラ部４０を、その先端部がコンピュータ本体２の釦配置部３１に当接するまで回動することが可能であり、図１８に示すように、回転角度αは最高１２０゜である。
【０１１４】
また、使用者は、カメラ部４０を用いた撮影時において、カメラ部４０を前面レンズ４３が撮影者側を向くように回動させて、例えば、撮影者自身を撮影することができる（図１９参照）。このとき、カメラ部４０を、その先端部がコンピュータ本体２の釦配置部３１に当接するまで回動することが可能であり、図２０に示すように、回転角度βは最高１２０゜である。従って、情報処理装置１にあっては、カメラ部４０を２４０゜の角度範囲で回転させることが可能である（図１８及び図２０参照）。
【０１１５】
尚、図１９及び図２０に示すように、カメラ部４０を前面レンズ４３が撮影者側を向くように回動させたときには、内蔵された上記反転スイッチ８１によってカメラ部４０の回動方向が検知され、表示画面４６に表示される画像が反転され天地の正しい画像が表示される。
【０１１６】
図１７乃至図２０に示したようにカメラ部４０を回動させるときには、使用者は情報処理装置１の両側縁部を両手で把持したままでカメラ部４０を回動させることができるため、誤って情報処理装置１を落下させるという不具合を防止することができる。
【０１１７】
また、情報処理装置１にあっては、上記したように、放熱孔１５がコンピュータ本体２の前面部２ｂに設けられているため、撮影時に情報処理装置１を把持した両手で放熱孔１５を覆ってしまうようなことがなく、効率的な放熱を行うことができる。
【０１１８】
尚、カメラ部４０を用いたビデオカメラとしての使用形態としては、上記した図１６乃至図２０に示した使用形態の他、例えば、図１２乃至図１５の状態で使用することも可能である。また、コンピュータとしての使用形態も上記した図１２に示した使用形態に限られず、例えば、図１３乃至図２０の状態で使用することも可能である。但し、使い勝手を考慮すると、コンピュータとしての使用に最も適する使用形態は図１２に示す使用形態であり、ビデオカメラとしての使用に最も適する使用形態は図１６乃至図２０に示す使用形態である。
【０１１９】
以上に記載した通り、情報処理装置１にあっては、コンピュータ本体２に表示部３が開閉自在かつ回転自在に支持されると共にコンピュータ本体２にカメラ部４０が回動自在に支持されている。従って、上記したように、表示部３によってキーボード４を閉塞した状態でカメラ部４０を用いて撮影することができ（図１６乃至図２０参照）、撮影者が誤ってキーボード４の操作キー５、５、・・・等を操作してしまうことがなく誤動作を回避することができる。
【０１２０】
また、カメラ部４０をコンピュータ本体２に設けているので、大型で高画質の機能性の高いカメラ部４０を搭載することができる。
【０１２１】
以下に、カメラ部４０を用いた撮影時における、上記釦配置部３１に設けられたアプリケーション釦３６、メニュー釦３７、Ａ釦３８、Ｂ釦３９の機能及び操作例について説明する（図２１乃至図２４参照）。
【０１２２】
アプリケーション釦３６は、キーボード４の操作キー５の一つであるアプリケーションキー５ｃと同じ機能を有する釦であり、起動中のアプリケーションソフトウェアに対応するメニューを表示する機能を有する。メニュー釦３７は、起動中のアプリケーションソフトウェアに依存しないメニューを表示する機能を有し、例えば、カメラ用のアプリケーションソフトウェアの起動や起動中のアプリケーションソフトウェアの終了等の他、電源のオン／オフ等を行うことが可能である。Ａ釦３８及びＢ釦３９は、起動中のアプリケーションソフトウェア固有の機能を実行するための釦である。
【０１２３】
尚、以下に示すように、アプリケーション釦３６、メニュー釦３７、Ａ釦３８又はＢ釦３９を操作したときには、これらの各釦３６、３７、３８、３９の配置に対応して各メニューが表示され、即ち、アプリケーション釦３６が操作されると表示画面４６の上部中央にメニューが表示され（図２２参照）、メニュー釦３７が操作されると表示画面４６の下部中央にメニューが表示され（図２３参照）、Ａ釦３８が操作されると表示画面４６の下部左側にメニューが表示され（図２４参照）、Ｂ釦３９が操作されると表示画面４６の下部右側にメニューが表示される（図２４参照）。
【０１２４】
図２１は、表示画面４６に表示された画像の一例を示しており、現在「撮る」モード、即ち、撮影モード（静止画）の状態である。表示画面４６中、右側の縦長の表示部（以下、「サムネール部」と言う。）にはキャプチャー釦４８の操作によって既に取り込まれた画像が３画像表示されている。この３つの画像はジョグダイヤル５０の操作によってスクロール可能であり、サムネール部に表示される画像が順次送られていく。また、表示画面４６中、中央から左側の部分にかけては、カメラ部４０によって撮影される画像が表示されている。尚、表示画面４６には、撮影枚数、ハードディスクの記憶残量、画面サイズ及び画質が表示される。
【０１２５】
図２２は、アプリケーション釦３６が操作された状態を示しており、表示画面４６の上部中央にメニュー画面が表示されている。現在、カーソルが「撮る」のメニュー上にある。このメニューは、ジョグダイヤル５０の回転操作によってスクロールされ、ジョグダイヤル５０の押圧操作によって決定される。
【０１２６】
図２３は、メニュー釦３７が操作された状態を示しており、表示画面４６の下部中央にメニュー画面が表示されている。現在、カーソルが「撮影サイズ」のメニュー上にある。このメニューもアプリケーション釦３６の場合と同様に、ジョグダイヤル５０の回転操作によってスクロールされ、ジョグダイヤル５０の押圧操作によって決定される。
【０１２７】
図２４は、Ａ釦３８及びＢ釦３９が操作された状態を示しており、表示画面４６の下部左側にＡ釦３８によるメニュー画面が表示され、表示画面４６の下部右側にＢ釦３９によるメニュー画面が表示されている。現在、左側の画面では、カーソルが「静止画」のメニュー上にあり、右側の画面では、カーソルが「ローカルディスク」のメニュー上にある。
【０１２８】
左側の画面に示されるように、動画の場合には圧縮レイトの高い「高画質」と圧縮レイトの低い「ネットワーク（低画質）」とを選択することができ、例えば、サーバ上にデータを保存する場合等には「ネットワーク」が適する。
【０１２９】
右側の画面に示される「ローカルディスク」は、内蔵のＨＤＤ７２のハードディスクに保存する場合である。また、「イメージステーション」は、ネットワーク上のサーバに保存する場合であり、例えば、コンピュータ本体２に接続された携帯電話からインターネットに接続して、リアルタイムで順次サーバにデータを送るような場合に選択される。
【０１３０】
上記した実施の形態において示した各部の具体的な形状及び構造は、何れも本発明を実施する際の具体化のほんの一例を示したものにすぎず、これらによって本発明の技術的範囲が限定的に解釈されることがあってはならないものである。
【０１３１】
【発明の効果】
以上に記載したところから明らかなように、本発明情報処理装置にあっては、キーボードを有する本体部と、表示画面を有し第１の支持軸を介して回動することにより本体部に対して開閉されると共に第１の支持軸と直交する第２の支持軸を介して本体部に対して回転される表示部と、本体部のキーボード側と表示部の表示画面側とが対向した状態での閉塞、及び本体部のキーボード側と表示部の表示画面を有さない側とが対向した状態での閉塞をするロック手段と、撮像手段と、キーボードの所定の操作キーと同じ機能を有し、キーボードが表示画面側と対向した状態で閉塞された場合に操作可能な第１の入力手段と、撮影モード時に第１の入力手段が操作された場合に、当該撮影モードに関するメニュー画面を表示画面上に表示する表示制御手段とを備えたことを特徴とする。
【０１３２】
従って、表示部によってキーボードを閉塞した状態でカメラ部を用いて撮影することができ、撮影者が誤ってキーボードの操作キー等を操作してしまうことがなく誤動作を回避することができる。また、本体部のキーボード側と表示部の表示画面側とが対向した状態での閉塞をロックするロック手段と本体部のキーボード側と表示部の表示画面を有さない側とが対向した状態での閉塞をロックするロック手段を設けるとともに、両ロック手段を共通にして単一化したので、構造を複雑化することなくキーボードを隠しつつ表示画面は表裏どちらにしても閉塞状態をロックすることができ、コンピュータとしての使用はもちろん、ビデオカメラとしての使用にも適した情報処理装置を提供することができる。また、第１の入力手段は、キーボードの所定の操作キーと同じ機能を有するので、ビデオカメラとしても使用できる情報処理装置の使い勝手を向上させることができる。
【０１３６】
請求項２に記載した発明にあっては、表示制御手段は、メニュー画面上に、撮像手段により撮影された画像を電子メールプログラムにより送信するかを選択させるためのメニューを表示するので、ビデオカメラとしても使用できる情報処理装置の使い勝手を向上させることができる。
【０１３７】
請求項３に記載した発明にあっては、表示制御手段は、メニュー画面上に、撮像手段により撮影された画像を内部ハードディスクに保存させるか外部サーバに保存させるかを選択させるためのメニューを表示するので、ビデオカメラとしても使用できる情報処理装置の使い勝手を向上させることができる。
【０１３８】
請求項４に記載した発明にあっては、スクロール操作と決定操作とを入力可能な第２の入力手段を表示部の表示画面の周縁の枠部に更に備え、メニュー画面上のメニューは、第２の入力手段でのスクロール操作によりスクロールされ、決定操作により決定されるので、ビデオカメラとしても使用できる情報処理装置の使い勝手を向上させることができる。
【図面の簡単な説明】
【図１】図２乃至図２９と共に本発明の実施の形態を示すものであり、本図は操作キーが開放された状態で示す情報処理装置の平面図である。
【図２】図１と同じ状態で示す情報処理装置の正面図である。
【図３】図１と同じ状態で示す情報処理装置の左側面図である。
【図４】図１と同じ状態で示す情報処理装置の底面図である。
【図５】図１と同じ状態で示す情報処理装置の右側面図である。
【図６】コンピュータ本体を示す拡大平面図である。
【図７】図８と共にジョグダイヤルの操作方法を示すものであり、本図は回転操作の方法を示す拡大斜視図である。
【図８】押圧操作の方法を示す拡大斜視図である。
【図９】表示画面がキーボードに対向した状態で表示部によって操作キーが閉塞された情報処理装置を示す平面図である。
【図１０】表示画面と反対側の面がキーボードに対向した状態で表示部によって操作キーが閉塞された情報処理装置を示す平面図である。
【図１１】情報処理装置の回路構成を示すブロック図である。
【図１２】コンピュータとして使用する使用形態を示す情報処理装置の斜視図である。
【図１３】表示部がコンピュータ本体に対して回転されている状態を示す情報処理装置の斜視図である。
【図１４】表示部が１８０°回転された状態を示す情報処理装置の斜視図である。
【図１５】表示部が１８０°回転された後、回動されてキーボードが閉塞された状態を示す斜視図である。
【図１６】図１７乃至図２０と共に情報処理装置をビデオカメラとして使用する使用形態を示すものであり、本図はカメラ部が回動される前の状態を示す正面図である。
【図１７】カメラ部を前面レンズが撮影者と反対側を向くように回動した状態を示す正面図である。
【図１８】カメラ部を前面レンズが撮影者と反対側を向くように回動した場合に、回動端まで回動された状態を示す側面図である。
【図１９】カメラ部を前面レンズが撮影者側を向くように回動した状態を示す正面図である。
【図２０】カメラ部を前面レンズが撮影者側を向くように回動した場合に、回動端まで回動された状態を示す側面図である。
【図２１】図２２乃至図２４と共にアプリケーション釦、メニュー釦、Ａ釦、Ｂ釦の機能及び操作例について説明するためのものであり、本図は撮影された画像が表示されている状態を示す表示画面の正面図である。
【図２２】アプリケーション釦が操作された状態を示す表示画面の正面図である。
【図２３】メニュー釦が操作された状態を示す表示画面の正面図である。
【図２４】Ａ釦及びＢ釦が操作された状態を示す表示画面の正面図である。
【図２５】ロック爪ユニットを示す斜視図である。
【図２６】ロック爪ユニットの分解斜視図である。
【図２７】ロック爪が非ロック位置にある状態のロック爪ユニットの要部を示す正面図である。
【図２８】ロック爪がロック位置にある状態のロック爪ユニットの要部を示す正面図である。
【図２９】ロック爪がロック位置にある状態から表示部が閉塞状態にロックされる過程を示す要部の断面図である。
【図３０】従来の情報処理装置の一例を示す斜視図である。
【符号の説明】
１…情報処理装置、２…コンピュータ本体（本体部）、３…表示部、４…キーボード、５…操作キー、１７…撮影時点灯レンズ、２８…保持凹部、３６…アプリケーション釦（第１の入力手段）、４０…カメラ部（撮像手段）、４６…表示画面、４７…枠部、５０…ジョグダイヤル（第２の入力手段）、５２…係合孔（ロック手段）、５４…係合孔（ロック手段）、５６…第１の支持軸、５７…第２の支持軸、７７…Ｉ／Ｏコントローラ（表示制御手段）、１００…ロック爪（ロック手段）
【図１】
0004573077.tif 000002
【図２】
0004573077.tif 000003
【図３】
0004573077.tif 000004
【図４】
0004573077.tif 000005
【図５】
0004573077.tif 000006
【図６】
0004573077.tif 000007
【図７】
0004573077.tif 000008
【図８】
0004573077.tif 000009
【図９】
0004573077.tif 000010
【図１０】
0004573077.tif 000011
【図１１】
0004573077.tif 000012
【図１２】
0004573077.tif 000013
【図１３】
0004573077.tif 000014
【図１４】
0004573077.tif 000015
【図１５】
0004573077.tif 000016
【図１６】
0004573077.tif 000017
【図１７】
0004573077.tif 000018
【図１８】
0004573077.tif 000019
【図１９】
0004573077.tif 000020
【図２０】
0004573077.tif 000021
【図２１】
0004573077.tif 000022
【図２２】
0004573077.tif 000023
【図２３】
0004573077.tif 000024
【図２４】
0004573077.tif 000025
【図２５】
0004573077.tif 000026
【図２６】
0004573077.tif 000027
【図２７】
0004573077.tif 000028
【図２８】
0004573077.tif 000029
【図２９】
0004573077.tif 000030
【図３０】
0004573077.tif 000031